(57)【要約】【課題】  寝返りを自由にすることができ、使用者に優しい無呼吸状態防止具及び無呼吸状態防止寝具を提供すること。【解決手段】  傾斜支持面が傾斜した傾斜マット２と、移動抑制部材３とを備え、移動抑制部材３が傾斜マット２の傾斜底部に接続され、傾斜マット２の傾斜支持面が身体の背中側に、また移動抑制部材３が身体の腹部側となるように配置され、傾斜マット２の傾斜支持面により、身体の頭部が横向いた状態に保たれる。傾斜マット２はマット本体６及び補助マット８から構成され、マット本体６の傾斜支持面１４により身体を支持し、補助マット８の傾斜支持面１６により頭部を支持する。補助マット８には、枕１８が着脱自在に取り付けられる。【選択図】      図１
2005118528.tif 000002
【特許請求の範囲】
【請求項１】
傾斜した傾斜支持面を有する傾斜マットと、人体の移動を抑えるための移動抑制部材とを備え、前記移動抑制部材が前記傾斜マットの傾斜底部に接続され、前記傾斜マットの傾斜支持面が身体の背中側に、また前記移動抑制部材が身体の腹部側となるように配置され、前記傾斜マットの前記傾斜支持面により、身体が傾斜した状態に支持され、これによって頭部が横向いた状態に保たれることを特徴とする無呼吸状態防止具。
【請求項２】
前記傾斜マットは身体の少なくとも背中から腰部までを支持するためのマット本体を備え、前記マット本体の傾斜支持面により、身体の少なくとも背中から腰部までが傾斜支持されることを特徴とする請求項１に記載の無呼吸状態防止具。
【請求項３】
前記傾斜マットは身体の少なくとも肩部から大腿部までを支持するためのマット本体を備え、前記マット本体の傾斜支持面により、身体の少なくとも肩部から大腿部までが傾斜支持されることを特徴とする請求項１に記載の無呼吸状態防止具。
【請求項４】
前記傾斜マットは、前記マット本体と別体の補助マットを含み、前記マット本体は身体の背中から腰部までを傾斜支持し、前記補助マットは身体の頭部を支持することを特徴とする請求項２に記載の無呼吸状態防止具。
【請求項５】
前記移動抑制部材は、枕状部材又はネット状乃至布状袋部材に収容されたボール状部材から構成されていることを特徴とする請求項１〜４のいずれかに記載の無呼吸状態防止具。
【請求項６】
前記傾斜マットの前記傾斜支持面には枕が脱着自在に取り付けられることを特徴とする請求項１〜３のいずれかに記載の無呼吸状態防止具。
【請求項７】
第１のボール状部材と、複数個の第２のボール状部材から構成されたボール状部材群とを備え、前記第１のボール状部材が第１のネット状乃至布状袋部材内に収容され、前記複数個の第２のボール状部材が第２のネット状乃至布状袋部材内に収容され、前記第１のネット状乃至布状袋部材と前記第２のネット状乃至布状袋部材とが接続されており、前記第１のボール状部材が身体の腹部側に、また前記ボール状部材群が身体の背中側になるように配置され、前記ボール状部材群により、身体が傾斜した状態に支持され、これによって頭部が横向いた状態に保たれることを特徴とする無呼吸状態防止具。
【請求項８】
前記ボール状部材群を構成する前記複数個の第２のボール状部材が、前記第２のネット状乃至布状袋部材内にまとめて収容されていることを特徴とする請求項７に記載の無呼吸状態防止具。
【請求項９】
前記ボール状部材群を構成する前記複数個の第２のボール状部材が、それぞれ、前記第２のネット状乃至布状袋部材内に一つずつ収容されていることを特徴とする請求項７に記載の無呼吸状態防止具。
【請求項１０】
第１のボール状部材と、複数個の第２のボール状部材から構成されたボール状部材群と、前記第１のボール状部材及び前記ボール状部材群とを包むように収容して接続するためのネット状乃至布状接続部材を備え、前記第１のボール状部材が、前記ネット状乃至布状接続部材の一辺部を所定方向に折り返して形成された第１の筒形状部内に収容され、前記ボール状部材群を構成する前記複数個の第２のボール状部材が、前記ネット状乃至布状接続部材の前記一辺部の対向辺側の他辺部を所定方向に折り返して形成された第２の筒形状部内に収容され、前記第１のボール状部材が身体の腹部側に、前記ボール状部材群が身体の背中側になるように配置され、前記ボール状部材群により、身体が傾斜した状態に支持され、これによって頭部が横向いた状態に保たれることを特徴とする無呼吸状態防止具。
【請求項１１】
前記第１のボール状部材が複数設けられ、前記第１のボール状部材の個数は、前記ボール状部材群の前記第２のボール状部材の個数よりも少ないことを特徴とする請求項７〜１０のいずれかに記載の無呼吸状態防止具。
【請求項１２】
前記複数個の第２のボール状部材から構成されるボール状部材群は身体の少なくとも背中から腰部までを支持することを特徴とする請求項７〜１１のいずれかに記載の無呼吸状態防止具。
【請求項１３】
前記傾斜マット又は前記複数個の第２のボール状部材から構成されるボール状部材群の長手方向一端側には傾斜補助マットが配置され、前記傾斜補助マットは、身体の大腿部から足部までを傾斜支持することを特徴とする請求項１〜１２のいずれかに記載の無呼吸状態防止具。
【請求項１４】
人体の移動を抑えるための移動抑制部材と、断面形状が略半円乃至略楕円形状である曲面支持面を有する曲面支持マットと、敷布団とを備え、前記敷布団上に前記曲面支持マットが設置され、前記移動抑制部材が前記曲面支持マットの曲面支持面又は前記敷布団上に脱着自在に取り付けられ、前記曲面支持マットの前記曲面支持面が身体の背中側に、前記移動抑制部材が身体の腹部側となるように配置され、前記曲面支持マットの前記曲面支持面により、身体が傾斜した状態に支持され、これによって頭部が横向いた状態に保たれることを特徴とする無呼吸状態防止寝具。
【請求項１５】
身体に掛ける掛布団及び頭部を支持する枕を更に備え、前記掛布団が前記曲面支持マットに接続され、また前記枕の底部に傾斜補助部材が取り付けられ、これによって前記枕が傾斜状態に支持されることを特徴とする請求項１４に記載の無呼吸状態防止寝具。
【請求項１６】
前記曲面支持マットは、身体の少なくとも背中から腰部までを傾斜支持することを特徴とする請求項１４に記載の無呼吸状態防止寝具。
【発明の詳細な説明】
【技術分野】
【０００１】
本発明は、睡眠時に無呼吸状態になるのを防止し、閉塞型睡眠時無呼吸症候群による弊害を抑えるための無呼吸状態防止具及び無呼吸状態防止寝具に関する。
【背景技術】
【０００２】
近年、睡眠中に無呼吸状態になる睡眠時無呼吸症候群が社会問題になりつつある。この睡眠時無呼吸症候群は、さまざまな原因により睡眠中に呼吸が１０秒以上停止する症状を有する疾患であり、その特徴及び原因から閉塞型、中枢型及び混合型の３種に分類されている。中枢型は呼吸中枢障害による呼吸リズムの形成機構障害又は脳幹発振中枢異常が原因である。これに対し、閉塞型は肥満、上気道の形態異常、アレルギー性鼻炎、咽喉頭軟部組織の腫脹、機能的異常などが原因である。また、混合型は前記中枢型及び閉塞型の症状的特徴を同時に有する。
【０００３】
これらの睡眠時無呼吸症候群は、高血圧、脳血管障害、虚血性心疾患などの原因となる因子として注目されている。更に、無呼吸状態に伴う中途覚醒が熟睡を妨げて睡眠障害を引き起こすうえ、昼間仮眠に伴う作業能力の低下、性格変化、居眠り運転による交通事故の発生原因などの社会的な問題をも引き起こす可能性を有している。加えて、睡眠時無呼吸症候群が原因で突然死を招くおそれもある。
【０００４】
これらの睡眠時無呼吸症候群のうち閉塞型の多くの症例は、生活習慣の改善によって充分に治療することが可能である。すなわち、この閉塞型睡眠時無呼吸症候群は、鼻翼、軟口蓋、口蓋垂、舌根部、咽頭蓋などが睡眠中に上気道を閉塞することにより引き起こされ、特に、軟口蓋による閉塞が多く報告されている。そして、この睡眠中における上気道の閉塞は、前記各器官が上気道を閉塞しない位置に配置されたときに解消する。この上気道閉塞の最も容易な解消法は、就寝時に頭部を最適な位置に配置することである。また、中高年男性に多く見られる習慣性いびきは、閉塞型睡眠時無呼吸症候群の予備軍と考えられており、一般に、この習慣性いびきを防止することがこの疾患の発生を抑制することにつながる。
【０００５】
従来より、睡眠時の無呼吸状態を防止するためのものとして種々の形態のものが提案され、例えば無呼吸状態防止着衣（例えば、特許文献１参照）、無呼吸状態防止寝具（例えば、特許文献２参照）などが提案されている。無呼吸状態防止着衣は、就寝時に頭部を所定角度に傾斜して保持するように膨出又は変形する第１パッドを備えた枕と、就寝時に身体を所定角度に傾斜して保持するように膨出又は変形する第２パッドを備えた着衣から構成され、これら第１及び第２パッドにより頭部を傾斜保持して気道が閉塞するのを防止している。また、無呼吸状態防止寝具は、横向き就寝において、胸部側及び背部側の双方に身体を挟むための枕を設け、枕間隔を帯によって調節・保持するようにしている。
【０００６】
【特許文献１】特開２０００−２８７８０３号公報  第２頁
【特許文献２】特開２００２−３３６１１２号公報  第２頁
【発明の開示】
【発明が解決しようとする課題】
【０００７】
公知の無呼吸状態防止着衣は、身体に着衣するため、使用の際に身体に付ける必要があり、夏場の使用においては暑くなる問題がある。また、枕として専用の空気枕が使用されており、枕が原因となって安眠が妨げられることがある。一般に、枕は使用者個々にフィットしたものが使われているケースが多く、できるだけ愛用している枕を用いる方が安眠でき、このような枕を使用できるようにするのが望ましい。
【０００８】
また、公知の無呼吸状態防止寝具では、横方向就寝のために、胸部側、背部側両サイドに身体が平らにならぬようにストッパー用の枕が設けられ、これら枕間隔が帯、バンドなどによって調節・保持され、これら枕を身体に繋げるように構成される。それ故に、使用状態においては、身体の両側に枕が位置するので、寝返りをうつことがし難く、無呼吸状態を防止する以前に安眠ができ難いという問題がある。
【０００９】
本発明は、上記事実に鑑みてされたものであり、その目的は、ベットなどの上に一度組み立てておけばそのまま毎日使用することができる無呼吸状態防止具を提供することである。
【００１０】
本発明の他の目的は、寝返りを自由にすることができ、使用者に優しい無呼吸状態防止具及び無呼吸状態防止寝具を提供することである。
本発明の更に他の目的は、設置が容易で、使用時の感触が柔らかく、安眠の妨げになることが少ない無呼吸状態防止具及び無呼吸状態防止寝具を提供することである。
【００１１】
本発明の更に他の目的は、日頃愛用している枕をそのまま用いることができる無呼吸状態防止具及び無呼吸状態防止寝具を提供することである。
【課題を解決するための手段】
【００１２】
本発明の請求項１に記載の無呼吸状態防止具は、傾斜した傾斜支持面を有する傾斜マットと、人体の移動を抑えるための移動抑制部材とを備え、前記移動抑制部材が前記傾斜マットの傾斜底部に接続され、前記傾斜マットの傾斜支持面が身体の背中側に、また前記移動抑制部材が身体の腹部側となるように配置され、前記傾斜マットの前記傾斜支持面により、身体が傾斜した状態に支持され、これによって頭部が横向いた状態に保たれることを特徴とする。
【００１３】
また、本発明の請求項２に記載の無呼吸状態防止具では、前記傾斜マットは身体の少なくとも背中から腰部までを支持するためのマット本体を備え、前記マット本体の傾斜支持面により、身体の少なくとも背中から腰部までが傾斜支持されることを特徴とする。
【００１４】
また、本発明の請求項３に記載の無呼吸状態防止具では、前記傾斜マットは身体の少なくとも肩部から大腿部までを支持するためのマット本体を備え、前記マット本体の傾斜支持面により、身体の少なくとも肩部から大腿部までが傾斜支持されることを特徴とする。
【００１５】
また、本発明の請求項４に記載の無呼吸状態防止具では、前記傾斜マットは、前記マット本体と別体の補助マットを含み、前記マット本体は身体の背中から腰部までを傾斜支持し、前記補助マットは身体の頭部を支持することを特徴とする。
【００１６】
また、本発明の請求項５に記載の無呼吸状態防止具では、前記移動抑制部材は、枕状部材又はネット状乃至布状袋部材に収容されたボール状部材から構成されていることを特徴とする。
【００１７】
また、本発明の請求項６に記載の無呼吸状態防止具では、前記傾斜マットの前記傾斜支持面には枕が脱着自在に取り付けられることを特徴とする。
また、本発明の請求項７に記載の無呼吸状態防止具では、第１のボール状部材と、複数個の第２のボール状部材から構成されたボール状部材群とを備え、前記第１のボール状部材が第１のネット状乃至布状袋部材内に収容され、前記複数個の第２のボール状部材が第２のネット状乃至布状袋部材内に収容され、前記第１のネット状乃至布状袋部材と前記第２のネット状乃至布状袋部材とが接続されており、前記第１のボール状部材が身体の腹部側に、また前記ボール状部材群が身体の背中側になるように配置され、前記ボール状部材群により、身体が傾斜した状態に支持され、これによって頭部が横向いた状態に保たれることを特徴とする。
【００１８】
また、本発明の請求項８に記載の無呼吸状態防止具では、前記ボール状部材群を構成する前記複数個の第２のボール状部材が、前記第２のネット状乃至布状袋部材内にまとめて収容されていることを特徴とする。
【００１９】
また、本発明の請求項９に記載の無呼吸状態防止具では、前記ボール状部材群を構成する前記複数個の第２のボール状部材が、それぞれ、前記第２のネット状乃至布状袋部材内に一つずつ収容されていることを特徴とする。
【００２０】
また、本発明の請求項１０に記載の無呼吸状態防止具では、第１のボール状部材と、複数個の第２のボール状部材から構成されたボール状部材群と、前記第１のボール状部材及び前記ボール状部材群とを包むように収容して接続するためのネット状乃至布状接続部材を備え、前記第１のボール状部材が、前記ネット状乃至布状接続部材の一辺部を所定方向に折り返して形成された第１の筒形状部内に収容され、前記ボール状部材群を構成する前記複数個の第２のボール状部材が、前記ネット状乃至布状接続部材の前記一辺部の対向辺側の他辺部を所定方向に折り返して形成された第２の筒形状部内に収容され、前記第１のボール状部材が身体の腹部側に、前記ボール状部材群が身体の背中側になるように配置され、前記ボール状部材群により、身体が傾斜した状態に支持され、これによって頭部が横向いた状態に保たれることを特徴とする。
【００２１】
また、本発明の請求項１１に記載の無呼吸状態防止具では、前記第１のボール状部材が複数設けられ、前記第１のボール状部材の個数は、前記ボール状部材群の前記第２のボール状部材の個数よりも少ないことを特徴とする。
【００２２】
また、本発明の請求項１２に記載の無呼吸状態防止具では、前記複数個の第２のボール状部材から構成されるボール状部材群は身体の少なくとも背中から腰部までを支持することを特徴とする。
【００２３】
また、本発明の請求項１３に記載の無呼吸状態防止具では、前記傾斜マット又は前記複数個の第２のボール状部材から構成されるボール状部材群の長手方向一端側には傾斜補助マットが配置され、前記傾斜補助マットは、身体の大腿部から足部までを傾斜支持することを特徴とする。
【００２４】
また、本発明の請求項１４に記載の無呼吸状態防止寝具では、人体の移動を抑えるための移動抑制部材と、断面形状が略半円乃至略楕円形状である曲面支持面を有する曲面支持マットと、敷布団とを備え、前記敷布団上に前記曲面支持マットが設置され、前記移動抑制部材が前記曲面支持マットの曲面支持面又は前記敷布団上に脱着自在に取り付けられ、前記曲面支持マットの前記曲面支持面が身体の背中側に、前記移動抑制部材が身体の腹部側となるように配置され、前記曲面支持マットの前記曲面支持面により、身体が傾斜した状態に支持され、これによって頭部が横向いた状態に保たれることを特徴とする。
【００２５】
また、本発明の請求項１５に記載の無呼吸状態防止寝具では、身体に掛ける掛布団及び頭部を支持する枕を更に備え、前記掛布団が前記曲面支持マットに接続され、また前記枕の底部に傾斜補助部材が取り付けられ、これによって前記枕が傾斜状態に支持されることを特徴とする。
【００２６】
また、本発明の請求項１６に記載の無呼吸状態防止寝具では、前記曲面支持マットは、身体の少なくとも背中から腰部までを傾斜支持することを特徴とする。
【発明の効果】
【００２７】
本発明の請求項１に記載の無呼吸状態防止具によれば、傾斜マットと移動抑制部材とが設けられ、傾斜マットが背中側に、移動抑制部材が腹部側となるように配置されるので、身体の背中が傾斜マットの傾斜支持面に支持され、身体が傾斜した状態に支持されるとともに、腹部が移動抑制部材によってやさしく支えられ、この移動抑制部材によって、身体が傾斜マットから滑り落ちるのが防止される。
【００２８】
移動抑制部材が身体の腹部側に配置されるのは、次の理由による。即ち、就寝者が寝返りをうったとき、移動抑制部材は背部側に位置する状態になるが、就寝者はエビのように前屈みで横就寝する習性があるので、入眠時は移動抑制部材を身体の腹部側にひとまず配置するようになる。そして、就寝者は傾斜マットの傾斜支持面と移動抑制部材との間に入るようにして就寝する。このような就寝状態では、身体の背中側が傾斜マットの傾斜支持面側に、その腹部が移動抑制部材側となるようになり、身体の背中側が傾斜マットの傾斜支持面に傾斜状態で支持される。従って、就寝者は横向きに寝た状態となり、その頭部も幾分横向いた状態に保たれ、これによって気道の閉塞が防止され、無呼吸状態になることが抑えられ、またいびきの発生も抑えられる。また、就寝者は、この傾斜マットの傾斜支持面と移動抑制部材との間に入って寝るのみであるので、傾斜マットや移動抑制部材によって身体が強く拘束されることはなく、寝返りも容易で自然にうつことができ、体にやさしいものとなり、安眠できる。
【００２９】
また、就寝中に上半身をくねらせて寝返りをうつと、その腹部は傾斜マット面側へ、背中側は移動抑制部材側へ半回転し、身体が強く拘束されることなく寝返りをうつことができる。このとき、就寝者は傾斜マットの傾斜支持面と移動抑制部材との間のから飛び出ることはなく、両者に挟まれた状態でお椀の中で回転するようにスムースに寝返りをうつことができる。就寝中、就寝者は傾斜マットの傾斜支持面と移動抑制部材との間に略Ｕ字形に柔らかく鋏まれ、きつくもなく緩くもなく安定して保持されるが、寝返りをうった時は、移動抑制部材の柔らかさ、弾力によって身体にやさしく作用し、身体に大きな拘束力が作用することなく自然に寝返りをうつことができる。このように寝返りをうつと、傾斜マットは身体の前で抱き枕状態になる一方、移動抑制部材は身体の背中側となって就寝者の横向きに寝た状態を支持するようになる。そして、移動抑制部材が、傾斜マットの傾斜底部に接続されているので、移動抑制部材が外れることがなく、このように寝返りした状態においても就寝者の頭部がある程度傾斜した状態に支持され、気道の閉塞が防止される。
【００３０】
尚、移動抑制部材は、枕状部材やネット状又は布状袋部材に収容されたボール状部材などから構成され、例えばネット状袋部材に収容されたボール状部材の場合、このネット状袋部材は伸縮自在なひもなどから形成されるのが好ましく、このような材料から形成することによって、寝返りをうった時、傾斜マットとボール状部材との間隔が一時的に広がり、より自然に寝返りをうつことができる。
【００３１】
また、本発明の請求項２に記載の無呼吸状態防止具によれば、身体の少なくとも背中から腰部までが傾斜マットの傾斜支持面に支持されるので、少なくとも背中から腰部にわたって所定角度傾斜した状態に保たれ、就寝者の身体を傾斜状態に安定して支持することができ、また寝返りもうちやすいため無理な姿勢とならずに安眠することができる。そして、このように傾斜状態に保持することによって、就寝者の頭部はある程度傾斜した状態に保たれ、気道が閉塞されるのが抑えられる。
【００３２】
また、本発明の請求項３に記載の無呼吸状態防止具によれば、身体の少なくとも肩部から大腿部までが傾斜マットの傾斜支持面に支持されるので、少なくとも肩部から大腿部にわたって所定角度傾斜した状態に保たれ、身体にとって楽な状態で傾斜状態に保持される。そして、このように傾斜状態に保持することによって、就寝者の頭部はある程度傾斜した状態に保たれ、気道が閉塞されるのが抑えられる。
【００３３】
この傾斜マットは身体の頭部から大腿部までを支持するようにしてもよく、この場合、傾斜支持面の頭部を支持する第１部位の傾斜角度と、傾斜支持面の肩部から大腿部までを支持する第２部位の傾斜角度とが同じ角度となるように構成してもよいが、傾斜支持面の第１部位の傾斜角度がその第２部位の傾斜角度よりも小さくなるように構成するのが望ましく、このように構成することによって、傾斜マットの傾斜支持面でもって、頭部から大腿部までをより楽な姿勢で支持することができる。身体の頭部から大腿部までを支持する場合、傾斜マットの傾斜支持面における第１部位と第２部位とを一体的に連続するように構成することもでき、或いは、この傾斜支持面を第１部位と第２部位とに分離するようにしてもよい。或いは、このような構成に代えて、傾斜マットの傾斜支持面でもって、肩部から足部までを支持するようにしてもよく、頭部から足部までの全身を傾斜マットの傾斜支持面で支持するようにしてもよい。
【００３４】
また、本発明の請求項４に記載の無呼吸状態防止具によれば、傾斜マットが、就寝者の背中から腰部までを支持するマット本体と、就寝者の頭部を支持する補助マットから構成されているので、就寝者の身体の頭部と背中から腰部にわたって支持することができる。また、傾斜マットが背中から腰部までを支持するマット本体と頭部を支持する補助マットとに分離されているので、マット本体の支持面の傾斜角度と補助マットの支持面の傾斜角度と自由に調整することができ、またその調整も容易に行うことができ、これによって、就寝者を安定して身体をやさしく支持し、安眠することができる。また、マット本体と補助マットとに分離しているので、寝返りをうったときに片方の腕がマット本体と補助マットとの間に納まるとともに、他方の腕がマット本体上に位置するようになり、これによって、両腕の位置が自然となり、窮屈さの少ない、安定した姿勢で就寝を続けることができる。また、このように分離することによって、補助マットに愛用の枕などを載せることも容易となり、枕を載せた補助マットを移動させることによって、就寝者に適した高低、角度になるように最適位置にすることができ、より楽な姿勢となって安眠することができる。
【００３５】
また、本発明の請求項５に記載の無呼吸状態防止具によれば、移動抑制部材が枕状部材から構成されるので、身体にやさしく作用するとともに、身体の移動を抑えることができ、また傾斜マットとの間で寝返りも容易に自然に行うことができる。この枕状部材に代えて、ネット状乃至布状部材に収容されたボール状部材を用いることによっても同様の効果が達成される。
【００３６】
また、本発明の請求項６に記載の無呼吸防止具によれば、傾斜マットに枕が着脱自在に装着されるので、使用者が愛用する枕など自分の好みの枕を取り付けて使用することができ、枕が異なることにより寝付きが悪くなることもない。尚、枕の取付けは、例えば、面ファスナーやボタンなどを用いて行うことができる。
【００３７】
また、本発明の請求項７に記載の無呼吸状態防止具によれば、第１のボール状部材が身体の腹部側に、ボール状部材群（複数個の第２のボール状部材）が背中側となるように配置され、身体の背中がボール状部材群によって規定される支持面に支持される。就寝者は、第１のボール状部材を腹部側にしてボール状部材群にもたれるように横になるので、このボール状部材群によって身体が傾斜した状態に支持されるとともに、腹部が第１のボール状部材によってやさしく支えられ、第１のボール状部材によって、身体がボール状部材群から滑り落ちるのが防止される。身体を支持するボール状部材群を構成する第２のボール状部材は、変形が容易なボール状部材から構成するのが好ましく、このようなものから構成することによって、身体を支持する際にその外形に対応して適度に変形して支持面を規定し、身体を柔らかく支持することができる。尚、ボール状部材の変形を容易にするには、その自体を軟質ゴムなどの柔らかい材質から形成するようにしてもよく、或いは内部に充填した空気などを抜いて変形容易なようにしてもよい。
【００３８】
この無呼吸状態防止具においては、傾斜マットの代わりに複数個の第２のボール状部材から構成されたボール状部材群が用いられているが、第１のボール状部材が身体の腹部側に配置される理由及び就寝中に寝返りをうつときの効果は、上述したのと同じである。尚、ネット状乃至布状袋部材は複数個のボール状部材を収容できるものであれば適宜のものでよいが、ネット状乃至袋状部材及び／又は接続部材は伸縮自在であるのが好ましく、このように伸縮自在に構成することによって、寝返りをうった時、第１のボール状部材とボール状部材群（複数の第２のボール状部材）との間隔が一時的に広がり、より自然に寝返りをうつことができる。また、この無呼吸状態防止具を用いて就寝するときには、頭を支持するために、日頃用いている枕を用いるようにしてもよい。
【００３９】
また、本発明の請求項８に記載の無呼吸状態防止具によれば、複数個の第２のボール状部材が第２のネット状乃至袋状部材内にまとめて収容されているので、第２のネット状乃至袋状部材に関連する構成を簡単にすることができる。
【００４０】
また、本発明の請求項９に記載の無呼吸状態防止具によれば、複数個の第２のボール状部材が第２のネット状乃至袋状部材に一つずつ収容されているので、第２のボール状部材の配置を容易に調整することができ、また複数個の第２のボール状部材を身体の腹部側に配置して第１のボール状部材として利用することができる。
【００４１】
また、本発明の請求項１０に記載の無呼吸状態防止具によれば、第１のボール状部材と、複数個の第２のボール状部材から構成されたボール状部材群と、これらを包むように収容して接続するネット状乃至布状接続部材とから構成され、第１のボール状部材がネット状乃至布状接続部材の一辺部に形成された第１の筒形状部内に収容され、複数個の第２のボール状部材がネット状乃至布状接続部材の他辺部に形成された第２の筒形状内に収容され、このようにネット状乃至布状接続部材でもって第１及び第２ボール状部材を包むように巻くことによって容易に形成することができるとともに、この巻き状態を変えることによって、第１のボール状部材と第２ボール状部材との間隔を調整することができる。ている。。
【００４２】
この無呼吸状態防止具においても、第１ボール状部材が身体の腹部側に、第２ボール状部材が身体の背中側に配置され、このように配置される理由は、上述したのと同じである。
【００４３】
このようなネット状乃至布状接続部材を用いた場合、第１のボール状部材とボール状部材群（複数個の第２のボール状部材）との距離が一定に保たれるので、第１のボール状部材によって、就寝者の傾斜状態を充分に維持することができる。これは、第１のボール状部材とボール状部材群との間で傾斜支持され横向きになった身体が、就寝中に動いてボール状部材群から滑り落ちて傾斜状態が維持できなくなるのを、第１のボール状部材によって就寝者の腹部がしっかりと支えられるからである。このネット状乃至布状接続部材は、それ自身が有する張力によって伸縮するように構成するのが望ましく、このように構成することによって、ネット状乃至布状接続部材上の第１の筒形状部内に収容された第１のボール状部材と第２の筒形状部内に収容されたボール状部材群との間隔は、その張力以上に伸縮することはなく一定の距離が維持されることによって、就寝者を充分に傾斜支持することができる。なお、就寝者が寝返りをうったときには、ネット状乃至布状接続部材は多少は伸縮するので、それによって第１のボール状部材とボール状部材群との間隔が広がり、上述したのと同様に自然に寝返りをうつことができる。
【００４４】
また、本発明の請求項１１に記載の無呼吸状態防止具によれば、第１のボール状部材が複数個設けられるので、身体の腹部側においてもある程度の長さでもって身体の飛び出しを防止し、就寝者は第１のボール状部材と第２のボール状部材との間の空間からの飛び出しを確実に防止することができる。また、第１のボール状部材の個数が第２のボール状部材の個数よりも少ないので、就寝者はエビのように前屈みで横就寝することができる。
【００４５】
また、本発明の請求項１２に記載の無呼吸状態防止具によれば、ボール状部材群（複数の第２のボール状部材）は身体の少なくとも背中から腰部までを支持するので、就寝者の身体を傾斜状態に安定して支持することができ、無理な姿勢とならずに安眠することができる。
【００４６】
また、本発明の請求項１３に記載の無呼吸状態防止具によれば、ボール状部材群（複数の第２のボール状部材）の長手方向一端側に傾斜補助マットが配置されるので、身体の少なくとも大腿部から足部までを傾斜支持することができる。ボール状部材群によって、身体の背中から腰部を支持した場合、最も負担がかかるのが腰部であり、朝起きた場合に腰に痛みを感じるときがある。この傾斜補助マットを設けることにより、身体の少なくとも大腿部から足部までをも傾斜支持することができ、これによって、就寝中に身体がねじれることがほとんどなく、これによる腰の痛みの発生を抑えることができ、より楽な姿勢となって安眠することができる。
【００４７】
本発明の請求項１４に記載の無呼吸状態防止寝具によれば、移動抑制部材と、曲面支持面を有する曲面支持マットと、敷布団とから構成され、敷布団上に曲面支持マットが脱着自在に設置され、移動抑制部材が曲面支持マット又は敷布団にに着脱自在に取り付けられる。この無呼吸状態防止寝具においては、移動抑制部材が身体の腹部側に、また曲面支持マットが身体の背中側に配置され、このように配置される理由は、上述した理由と同様である。
【００４８】
このような曲面支持マットと移動抑制部材とを用いた場合、移動抑制部材と曲面支持マットとの距離が一定に保たれるので、移動抑制部材によって、就寝者の傾斜状態（曲面支持マットに支持された状態）を充分に維持することができる。これは、移動抑制部材と曲面支持マットとの間で傾斜支持され横向きになった身体が、就寝中に動いて曲面支持マットから滑り落ちて傾斜状態が維持できなくなるのを、移動抑制部材が就寝者の腹部をしっかりと支えるからである。また、移動抑制部材は、曲面支持マットの曲面支持面上又は敷布団の上に脱着自在に取り付けられているので、取付位置を変えることによって曲面支持マットと移動抑制部材との間隔を調整することができる。これによって、就寝者が就寝しやすい好みの間隔を得ることができるので、就寝者が安眠できるとともに、身体の傾斜状態が支持され、気道の閉塞が防止される。この曲面支持マットによる身体の傾斜支持は、例えば、頭部から大腿部までを行うようにしてもよく、又は頭部から足部までを行うようにしてもよく、曲面支持マットの長さを変えることによって、身体の支持する部分を調整することができる。尚、移動抑制部材は、上述したと同様に、枕状部材やネット状乃至布状袋部材に収容されたボール状部材から構成される。
【００４９】
また、本発明の請求項１５に記載の無呼吸状態防止寝具によれば、枕の底部に傾斜補助部材が取り付けられることによって枕が傾斜支持されるので、傾斜支持された枕上に頭部を乗せると、頭部が安定して横向き状態に保たれ、これによって、気道の閉塞が防止される。
【００５０】
また、掛布団は曲面支持マットに接続されているので、就寝者が寝返りをうったときにでも曲面支持マット及び身体からずれ落ちることがなく、掛布団を被った状態で就寝することができる。なお、就寝者が寝返りをうつと、その腹部は曲面支持マット側へ、背中は移動抑制部材側へ半回転し、身体が拘束されることなく自然と寝返りをうつことができるのは上述したのと同様である。
【００５１】
本発明の請求項１６に記載された無呼吸状態防止寝具によれば、曲面支持マットは身体の少なくとも背中から腰部までを傾斜支持するので、就寝者の身体を傾斜状態に安定して支持することができ、無理な姿勢とならずに安眠することができる。
【発明を実施するための最良の形態】
【００５２】
以下、添付図面を参照して、本発明を実施するための無呼吸状態防止具及び無呼吸状態防止寝具の最良の実施形態について説明する。
まず、図１〜図３を参照して、第１の実施形態の無呼吸状態防止具について説明する。図１は、本発明に従う無呼吸状態防止具の第１の実施形態の使用状態を示す平面図であり、図２は、図１の無呼吸状態防止具の使用状態を示す断面図であり、図３は、図１の無呼吸状態防止具を分解して示す平面図である。
【００５３】
図１〜図３において、この無呼吸状態防止具は、傾斜マット２と、移動抑制部材３として、例えばボール状部材４とから構成されている。傾斜マット２は、マット本体６及び補助マット８を備え、これらが別個独立に分離して設けられている。マット本体６及び補助マット８は、実施形態では、完全に分離しているが、ひも、ゴムなどで連結するようにしてもよく、或いはこれらを一体的に形成するようにしてもよい。
【００５４】
マット本体６は、木綿布などを長方形状に裁断して袋状に形成される第１カバー部材１０を有し、このカバー部材１０の内部に詰め材としての主マット部材１１が収容される。同様に、補助マット８も木綿布などを略正方形状に裁断して袋状に形成される第２カバー部材１２を有し、このカバー部材１２の内部に詰め材としての副マット部材１３が収容される。
【００５５】
主マット部材１１及び副マット部材１３は、その形状が保守できる程度の硬さを有する材質、例えばポリウレタンフォーム、発泡ポリウレタンフォーム、綿などから形成され、身体の重量によってマット本体６及び補助マット８が大きく変形しないものであれば、一般的に用いられている各種材質でよい。
【００５６】
マット本体６（主マット部材１１）及び補助マット８（副マット部材１３）は、それぞれ、断面形状が緩やかな略二等辺三角形状であり、その緩やかな傾斜面が傾斜支持面１４，１６として作用する。この実施形態では、マット本体６の傾斜支持面１４と補助マット８の傾斜支持面１６とは実質上同じ傾斜角度に保たれ、それらの傾斜角度は１０〜３０度程度の適宜の角度、例えば２０度に設定される。図１に示すように、マット本体６は就寝者Ｐの体Ｑに対応して配置され、その傾斜支持面１４は就寝者Ｐの肩部から大腿部までを所要の通りに傾斜した状態に支持する。また、補助マット８は就寝者Ｐの頭Ｒに対応して配置され、その傾斜支持面１６は就寝者Ｐの頭部Ｒを所要の通りに傾斜した状態に保持する。尚、この形態では傾斜支持面１４は就寝者Ｐの肩部から大腿部までを傾斜支持しているが、傾斜支持面１４は少なくとも就寝者Ｐの背中から腰部までを傾斜支持できればよく、このようにしても就寝者Ｐの身体とともに頭部を傾斜支持することができる。
【００５７】
この補助マット８の傾斜支持面１６の傾斜角度は、マット本体６の傾斜支持面１４の傾斜角度よりも幾分小さくする、例えば５〜１５度程度、例えば１０度にするようにすることができ、このように補助マット８の傾斜角度を幾分小さくすることによって、体Ｑの傾斜状態よりも頭Ｒの傾斜状態が小さくなり、就寝状態において身体が楽な姿勢となり、寝付きがよく安眠することができる。尚、補助マット８の支持面は必ずしも傾斜させる必要はなく、平らになるように構成してもよく、このように平らにしても、マット本体６の傾斜支持面１４により肩部から腰部までが横に傾斜した状態に保持されるので、頭部も幾分横に向いた状態に保たれる。
【００５８】
補助マット８の傾斜支持面１６には、枕１８が着脱自在に取り付けられる。この枕１８は、市販されているもの、手作りのものなどの適宜のものでよいが、使用者が日頃愛用しているものをそのまま用いることもでき、愛用のものを用いることによって、寝付きがよく、安眠することができる。この形態では、図３に示すように、補助マット８の第２カバー部材１２の表面に細長い面ファスナー２０（例えば、凸状又は凹状のファスナー）が就寝方向である縦方向（図１及び図３において上下方向）に２列並行に設けられ、また枕１８の枕カバー２２の裏面に、面ファスナー２０に対応して、細長い面ファスナー２２が横方向（図１及び図３において左右方向）に２列に設けられ、これら面ファスナー２０，２２を相互に係合することによって、枕１８が補助マット８に着脱自在に取り付けられる。
【００５９】
ボール状部材４はネット２６に収容され、このネット２６の開口端部が傾斜マット２のマット本体６に取り付けられる。図示の無呼吸状態防止具は、身体の右側を下にして就寝するときに用いる形態のものであり、傾斜マット２のマット本体６及び補助マット８の傾斜支持面１４，１６は、その底部（傾斜支持面１４，１６に上向きに寝た状態において、右腕が位置する側の側部）から頂部（傾斜支持面１４，１６に上向きに寝た状態において、左腕が位置する側の側部）に向けてほぼ直線上に傾斜して延びている。マット本体２の底部には接続ひも２８が設けられ、ボール状部材４を収容したネット２６の開口端部又はその開口部を閉じるための開閉ひも３０がマット本体６の接続ひも２８に取り付けられる。従って、ネット２６に収容されたボール状部材４は、傾斜マット２に上向きに寝た状態において右側に位置し、就寝者Ｐの背中側がマット本体６側に、その腹部側がボール状部材４側となるように、就寝者Ｐは右側を下にして傾斜マット２とボール状部材４との間に横向きに寝るようになる。尚、マット本体６とボール状部材４との間隔は、横向き就寝状態において身体が、きつくもなく、緩くもない程度の最適の間隔となるように接続ひも２８で結び合わされる。
【００６０】
ボール状部材４は、例えばゴムボール３２から構成される。ゴムボール３２は、図示の形態のように空気の充填可能なものでもよく、空気の充填ができないものでもよい。図示のものでは、ゴムボール３２内は中空であり、使用するときに、空気注入口３４から空気が注入されて膨らまされる。このようなゴムボール３２は、その外径が約２０〜３０ｃｍ程度の大きさ、例えば２３ｃｍでよく、スポーツ用、実験用のボール状部材などが好都合に用いられ、表面が柔らかくてある程度弾性を有するものが望ましく、このようなゴムボール３２では、寝返りなどをしたときに身体に大きな力が作用することがなく、体にやさしくものとして提供することができる。
【００６１】
ボール状部材４を収容するネット２６は伸縮自在なひも、例えばニットゴムひもなどから形成するのが好ましい。このように構成することによって、ネット２６自体が伸縮性を有し、寝返りをしたときにマット本体６とボール状部材４との間隙が一時的に広くなり、より自然に寝返りをうつことができ、安眠が妨げられることがより少なくなる。
【００６２】
この無呼吸状態防止具は、例えば、次のような大きさに形成される。マット本体６の長さは例えば８５ｃｍ程度に、補助マット８の長さは例えば３５ｃｍ程度に、マット本体６及び補助マット８の幅は例えば３０ｃｍ程度に、マット本体６及び補助マット８の頂部までの高さは例えば１０ｃｍ程度に、マット本体６及び補助マット８の傾斜支持面１４，１６の傾斜角度は例えば２０度程度にすることができ、またゴムボール３２の直径は例えば２３ｃｍ程度に形成することができ、このような大きさに形成することによって、大人の男性向けのものとして提供することができる。
【００６３】
次に、上述した無呼吸状態防止具の作用について説明する。使用に際して、マット本体６（主マット部材１１を第１カバー１０内に収容する）及び補助マット８（副マット部材１３を第２カバー１２内に収容する）を所定の位置関係にするとともに、マット本体２の接続ひも２８に、ボール状部材４を収容したネット２６を接続し、更に、使用者が使用する枕１８の面ファスナー２４と補助マット８の面ファスナー２０とを係合させて枕１８を補助マット８に着脱自在に装着する。このようにして傾斜マット２（マット本体６及び補助マット８）と、ネット２６内に収容されたボール状部材４と、枕１８とを就寝時に使用する状態に組み立てる。
【００６４】
就寝のときには、身体の右側が下となるように、換言すると、身体の背中側がマット本体６側に、その腹部側がボール状部材４側となるようにこれらの間の間隙に入り、身体の肩部から腰部までがマット本体６の傾斜支持部１４に支持され、身体の頭部が補助マット８の傾斜支持面１６に取り付けられた枕１８に支持されるように寝る。この就寝状態においては、就寝者Ｐは身体の右側を下にして横向きに寝た状態となり、その頭部も横に向いた状態に保たれ、これによって気道の閉塞が防止され、就寝中に無呼吸状態になることが抑えられる。また、気道の閉塞が防止されるので、睡眠中のいびきの発生も抑えられ、周囲に迷惑をかけることなく安眠できる。
【００６５】
この実施形態では、枕１８を補助マット８の傾斜支持面１６に取り付けており、従って、就寝者Ｐの頭部Ｒの横向き傾斜角度が大きくなり、これによって気道の閉塞の発生がより抑えられるが、補助マット８を使用することなく、枕１８を例えばベッド４０に直接的に置くようにすることもできる。この場合、身体の肩部から腰部までがマット本体６の傾斜支持面１４により支持されて横方向に傾斜されるのみで、頭部は補助マット８により傾斜支持されないため、頭部の傾斜角度は減殺されてやや低傾斜角度になるが、このような低傾斜角度であっても、軽度の無呼吸症患者には有効で、所望の効果が達成される。
【００６６】
睡眠中に寝返りをうつ場合には、次のようになる。例えば、就寝者が身体の背中が傾斜マット２（マット本体６及び補助マット８）の傾斜支持面１４，１６側に、その腹部がボール状部材４側となるように横向きに寝た状態において、上半身をくねらせて寝返りをうつと、お椀の中で回転するようにその腹部は傾斜マット２側へ、その背中はボール状部材４側へ回転し、容易に寝返りをうつことができる。このとき、身体は傾斜マット２とボール状部材４との間の空間から飛び出すことはなく、両者に鋏まれたままでスムースに寝返りをうつことができる。
【００６７】
就寝中、傾斜した身体の右側部（又は左側部）がボール状部材４の側面、ベット４０の表面及びマット本体６の傾斜支持面１４の間の空間に柔らかく鋏まれ、きつくもなく緩くもなく安定して保持される。そして、寝返りをうつ時は、ボール状部材４の柔らかな弾力、伸縮自在なネット２６の弾力によって一時的にこの空間が広がり、自然な状態で寝返りをうつことができる。このとき、傾斜マット２は身体の前で抱き枕状態になっているので、ストッパー用のボール状部材４は身体の後ろの背中部側にあって、背中部側から就寝者の横向きに寝た状態を支持する。ボール状部材４は常に腹部側にある必要はないが、人はエビのように前屈みで横就寝する習性があるので、入眠時はボール状部材４を腹部側に位置するようにするのが望ましい。
【００６８】
上述した形態では、身体の右側を下にして就寝するものであるが、身体の左側を下にして就寝するときには、図４に示すものが用いられる。この場合、傾斜マット２Ａのマット本体６Ａ及び補助マットの傾斜支持面１４Ａは、その底部（傾斜支持面１４Ａに上向きに寝た状態において左腕が位置する側の側部）から頂部に向けてほぼ直線上に傾斜して延び、ボール状部材４を収容したネット２６の開口端部（又はその開口部を閉じるための開閉ひも）がマット本体６Ａの傾斜底部に取り付けられる。従って、ネット２６に収容されたボール状部材４は、傾斜マット２Ａに上向きに寝た状態において左側に位置し、就寝者Ｐの背中側がマット本体６Ａ側に、その腹部側がボール状部材４側となるように、就寝者Ｐは左側を下にして傾斜マット２Ａとボール状部材４との間に横向きに寝るようになる。
【００６９】
傾斜マットは、図５又は図６に示すように構成することができる。第１の変形形態の傾斜マットを示す図５において、図示の傾斜マット２Ｂはマット本体６Ｂ及び補助マット８Ｂから構成されている。マット本体６Ｂはゴムから形成され、縦方向に細長い長方形状に形成されて、その内部は中空になっている。マット本体６Ｂは密封され、その内部は縦方向に延びる仕切壁５２と、横方向に延びる仕切壁５４により仕切られ、その内部が縦方向（図５において上下方向）に４等分に、横方向（図５において横方向）に３等分に分割され、合計１２個の密封された充填室５６を規定している。各充填室５６には注入口５８が設けられ、この注入口５８から対応する充填室５６に気体、例えば空気が充填され、充填された空気によって所定の形状に保たれる。
【００７０】
また、補助マット８Ａも基本的構成がマット本体６Ａと実質上同一であり、ゴムから形成され、略正方形状に形成されて、その内部は中空になっている。補助マット８Ｂも密封され、その内部は縦方向に延びる仕切壁６２と、横方向に延びる仕切壁６４により仕切られ、その内部が縦方向（図５において上下方向）に２等分に、横方向（図５において横方向）に３等分に分割され、合計６個の密封された充填室６６を規定している。各充填室６６には注入口６８が設けられ、この注入６８から対応する充填室６６に気体、例えば空気が充填され、充填された空気によって所定の形状に保たれる。
【００７１】
このような空気の如き気体が充填されるマット本体６Ｂ及び補助マット８Ｂを用いても上述したと同様の効果が達成される。尚、仕切壁５２，５４によってマット本体６Ｂに１２個の充填室５６を規定し、また仕切壁６２，６４によって補助マット８Ｂに６個の充填室６６を規定しているが、設ける仕切壁５２，５４，６２，６６の数、またこれら仕切壁５２，５４，６２，６４により規定する充填室５６，６６の数については、マット本体６Ｂ及び補助マット８Ｂの大きさなどによ適宜設定することができる。
【００７２】
次に、図６を参照して、第２の変形形態の傾斜マットについて説明すると、この傾斜マット２Ｃもマット本体６Ｃ及び補助マット８Ｃから構成されるが、空気の如き気体を充填する充填室８６，９６の構成が、上述した第１の変形形態と相違している。マット本体６Ｃは密封され、その内部は縦方向に延びる一つの仕切壁８２と、横方向に延びる三つの仕切壁８４により仕切られ、合計８個の充填室８６が規定されている。仕切壁８２，８４には連通孔９０が設けられ、隣接する充填室８６が連通孔９０を介して連通される。充填室８６が連通孔９０を介して連通されるので、マット本体６Ｃに一つの注入口８７が設けられ、この注入口８７から全充填室８６に気体、例えば空気が充填される。
【００７３】
また、補助マット８Ｃも基本的構成がマット本体６Ｃと実質上同一であり、ゴムから形成され、略正方形状に形成されている。この補助マット８Ｃも密封され、その内部は縦方向に延びる一つの仕切壁９２と、横方向に延びる一つの仕切壁９４により仕切られ、合計４個の充填室９６が規定されている。仕切壁９２，９４には連通孔１００が設けられ、隣接する充填室９６が連通孔１００を介して連通される。充填室９６が連通孔１００を介して連通されるので、補助マット８Ｃに一つの注入口９７が設けられ、この注入口９７から全充填室９６に気体、例えば空気が充填される。
【００７４】
このようなマット本体６Ｃ及び補助マット８Ｃを用いても上述したと同様の効果が達成される。加えて、マット本体６Ｃ及び補助マット８Ｃに空気を充填する注入口８７，９７の個数を少なくすることができるので、マット本体６Ｃ及び補助マット８Ｃの構成を簡単にすることができる。
【００７５】
第１及び第２の変形形態では、マット本体６Ｂ（６Ｃ）及び補助マット８Ｂ（８Ｃ）の充填室５６（８６），６６（９６）に空気の如き気体を充填しているが、水の如き液体を充填してマット本体６Ｂ（６Ｃ）及び補助マット８Ｂ（８Ｃ）を所定の形状に膨らますようにしてもよい。尚、このようなマット本体６Ｂ（６Ｃ）及び補助マット８Ｂ（８Ｃ）では、充填する気体（又は液体）の充填量を調整することによって、マット本体６Ｂ（６Ｃ）及び補助マット８Ｂ（８Ｃ）の固さ、高さを調整することができる。また、充填した気体（又は液体）を抜くことによって小さく収納することができ、旅行などの際に容易に持ち運ぶことが可能となる。
【００７６】
図５（又は図６）に示す傾斜マット２Ｂ（又は２Ｃ）のマット本体６Ｂ（又は６Ｃ）は、図７に示すように、第１カバー部材１０２に収容して使用するのが望ましい。第１カバー部材１０２は木綿布などによりほぼ長方形状に形成され、マット本体６Ｂ（６Ｃ）とほぼ同じ大きさに形成される。第１カバー部材１０２は袋状に形成され、その一側縁は開口され、この開口１０４を通してマット本体６Ｂ（６Ｃ）が収容される。
【００７７】
第１カバー部材１０２の開口１０４には、その対向部位に面ファスナー１０６，１０８が設けられている。第１カバー部材１０２の開口１０４の片側には、例えば凸状（又は凹状）の面ファスナー１０６が所定間隔をおいて複数、例えば５つ縫合され、この開口１０４の他側には、例えば凹状（又は凸状）の面ファスナー１０８が面ファスナー１０６に対応して縫合されている。これら面ファスナー１０６，１０８を係脱可能に係合させることによって、第１カバー部材１０２の開口１０４が閉塞される。尚、マット本体６Ｂ（６Ｃ）を第１カバー１０２内に収容すすると、このマット本体６Ｂ（６Ｃ）に設けられた接続ひも１１０が開口１０４を通して外部に導出され、この接続ひも１１０にボール状部材を収容したネット（図示せず）が接続される。
【００７８】
図５（又は図６）に示す傾斜マット２Ｂ（又は２Ｃ）の補助マット８Ｂ（又は８Ｃ）は、図８に示すように、第２カバー部材１１２に収容して使用するのが望ましい。第２カバー部材１１２は、第１カバー部材１０２と同様に、木綿布などにより形成され、補助マット８Ｂ（８Ｃ）とほぼ同じ大きさに形成される。第２カバー部材１１２も袋状に形成され、その開口１１４を通して補助マット８Ｂ（８Ｃ）が収容される。
【００７９】
第２カバー部材１１２の開口１１４には、その対向部位に凸状及び凹状面ファスナー１１６，１１８が設けられ、これら面ファスナー１１６，１１８を係脱可能に係合させることによって、第２カバー部材１１２の開口１１４が閉塞される。第２カバー部材１１２には、更に、その両面に面ファスナー１２０，１２２が設けられ、図８に示すように用いるときには、表側の面ファスナー１２０に枕に縫合された面ファスナー（図示せず）が着脱自在に装着され、図８とは反対に用いるときには、裏側の面ファスナー１２０に枕の面ファスナーが着脱自在に装着される。尚、枕を取り付けるための面ファスナー１２０，１２２は、いずれか一方のみを設けるようにしてもよい。
【００８０】
上述した形態では、第１及び第２カバー部材１０２，１１２の開口１０４，１１４に面ファスナー１０６，１０８，１１６，１１８を設けているが、面ファスナーに代えて、ホック、ボタンなどを用いるようにしてもよい。
【００８１】
次に、図９〜図１２を参照して、第２の実施形態の無呼吸状態防止具について説明する。図９は、第２の実施形態の無呼吸状態防止具を示す平面図であり、図１０は、図９の無呼吸状態防止具を示す正面図であり、図１１は、図９の無呼吸状態防止具の使用状態を示す平面図であり、図１２は、図１１の無呼吸状態防止具の使用状態を示す断面図である。
【００８２】
図９〜図１２において、この無呼吸状態防止具は、第１のボール状部材１４０と、ボール状部材群１３２とから構成され、ボール状部材群１２２は、３個の第２のボール状部材１３４，１３６，１３８を備えている。図示の無呼吸状態防止具は、身体の左側を下にして就寝するときに用いる形態のものであり（図１１参照）、第２のボール状部材１３４，１３６，１３８の各々が身体の形状に対応して変形して就寝者Ｐを傾斜支持する。
【００８３】
第２のボール状部材１３４，１３６，１３８は、第２のネット状部材１４２，１４４，１４６にそれぞれ収容されている。第２のネット状部材１４２，１４４，１４６は実質上同一の構成であり、開口部を有する網状のネット状袋本体１９２，１９４，１９６を備え、第２のボール状部材１３４，１３６，１３８が対応するネット状袋本体１９２，１９４，１９６に収容されている。ネット状袋本体１９２，１９４，１９６の開口部には開閉ひも１５０，１５２，１５４が設けられ、開閉ひも１５０，１５２，１５４を引っ張る（又は緩める）ことによって、ネット状袋本体１９２，１９４，１９６の開口部を閉じる（又は開放する）ことができる。第１のボール状部材１４０も第１のネット状部材１４８に収容されている。第１のネット状部材１４８は第２のネット状部材１４２〜１４６と実質上同一の構成であり、第１のボール状部材１４０を収容するネット状袋本体１９８を備え、このネット状袋本体１９８の開口部に開閉ひも１５６が設けられている。尚、ネット状部材１４２〜１４８に代えて、網目のない単なる袋状部材から構成し、このような袋状部材にボール状部材１３４〜１４０を収容するようにしてもよい。
【００８４】
第２のボール状部材１３４を収容する第２のネット状部材１４２と第１のボール状部材１４０を収容する第１のネット状部材１４８とは、それらの開閉ひも１５０，１５６が接続ひも１５８（接続部材を構成する）を介して接続されている。同様に、第２のボール状部材１３６を収容する第２のネット状部材１４４と上記第１のネット状部材１４８とは、それらの開閉ひも１５２，１５６とが接続ひも１６０を介して接続され、また第２のボール状部材１３８を収容する第２のネット状部材１４６と上記第１のネット状部材１４８とは、それらの開閉ひも１５４，１５６が接続ひも１６０を介して接続されている。第２のボール状部材１３４，１３６，１３８を構成するボール状部材群１３２と第１のボール状部材１４０との間隔は、横向き就寝状態において身体が、きつくもなく、緩くもない程度の最適の間隔となるように接続ひも１５８，１６０，１６２の長さが設定される。
【００８５】
第２のボール状部材１３４，１３６，１３８は例えばゴムボール１６４，１６６，１６８から構成され、第１のボール状部材１４０も第２のボール状部材１３４〜１３８と同様の例えばゴムボール１７０から構成される。これらゴムボール１６４〜１７０は、図示の形態のように、空気の充填可能なものでよいが、予め空気が充填されていて追加的に充填ができないものでもよい。図示のものでは、ゴムボール１６４〜１７０内は中空であり、使用するときには、空気注入口１７２，１７４，１７６，１７８から空気を注入して膨らますことができ、このように空気注入量を調整することによって、ゴムボール１６４〜１７０の固さを調整することができる。後の記載から理解されるように、第２のボール状部材１３４〜１３８については、その固さが比較的柔らかくなるよう空気充填量を比較的少なくし、第１のボール状部材１４０については、その固さが比較的硬くなる（第２のボール状部材１３４〜１３８よりも固くなる）ように空気充填量を比較的多くするのが望ましい。
【００８６】
このようなゴムボール１６４〜１７０は、スポーツ用、実験用のボールなどを好都合に用いることができ、表面が柔らかくてある程度弾性を有するものが望ましく、このようなゴムボール１６４〜１７０では、寝返りなどをしたときに身体に大きな力が作用することなく、体にやさしいものとして提供することができる。
【００８７】
接続ひも１５８，１６０，１６２は伸縮自在なひも、例えばニットゴム素材などから形成するのが好ましい。このように構成することによって、接続ひも１５８，１６０，１６２が伸縮性を有し、寝返りをしたときにボール状部材群１３２（第２のボール状部材１３４〜１３８）と第１のボール状部材１４０との間隙が一時的に広くなり、より自然に寝返りをうつことができ、安眠が妨げられることがより少なく、就寝者に優しいものなる。尚、接続部材として、接続ひも１５８〜１６２に代えて、接続ゴム、接続帯などを用いるようにしてもよい。
【００８８】
この無呼吸状態防止具は、例えば次のような大きさに形成される。ゴムボール１７０の直径はその外径が２０〜３０ｃｍ程度の大きさ、例えば２３ｃｍ程度のものが使用され、ボール状部材群１３２を構成するゴムボール１６４，１６６，１６８は、その外径が２０〜３０ｃｍ程度の大きさ、例えば直径が２５ｃｍ程度のものが使用される。第１のボール状部材１４０としてのゴムボール１７０内には、空気が満杯状態に充填されて固い状態に保たれるが、第２のボール状部材１４２，１４４，１４６としてのゴムボール１６４，１６６，１６８内には、それぞれ満杯状態の１／３〜３／４程度の空気が充填され、柔らかくて変形し易い状態に保たれる。このような構成にすることによって、就寝者がボール状部材群１３２上に横たわったときに、ボール状部材群１３２にかける体力によってゴムボール１６４，１６６，１６８がそれぞれ身体の外径に応じて自在に変形して就寝者を傾斜支持し、これによって就寝者を安定的に支持することができる。
【００８９】
また、接続ひも１５８，１６０，１６２は就寝者がボール状部材群１３２とボール状部材１４０との間に横向きになった場合に、身体がきつくもなく、緩くもない程度の最適の間隔に約５ｃｍ〜１５ｃｍ程度の長さ、例えば接続ひも１６０は５ｃｍ程度に、接続ひも２８，３２は例えば１０ｃｍ程度に調整することができる。このような長さにすることによって、就寝者が身体の左側を下にして就寝するときに、ボール状部材群１３２とボール状部材１４０との間に挟まったような状態で、身体の背中の右部がボール状部材群１３２に寄りかかって傾斜状態に支持される。また、就寝者が寝返りをうとうとするとき、接続ひも１５８，１６０，１６２は伸縮自在なニットゴム素材から構成されているので、ボール状部材群１３２と第１のボール状部材１４０との間隙が一時的に広くなって容易に寝返りをうつことができる。
【００９０】
次に、上述した無呼吸状態防止具の作用について説明する。使用に際して、ボール状部材群１３２を就寝者の右側に配置し、第１のボール状部材１４０を就寝者の左側に配置する。ボール状部材群１３２の第２のボール状部材１３４，１３６，１３８を収容する第２のネット状部材１４２，１４４，１４６と第１のボール状部材１４０を収容する第１のネット状部材１４８とは、接続ひも１５８，１６０，１６２で伸縮自在に接続される。就寝の時には、身体の左側が下となるように、換言すると、身体の背中側がボール状部材群１３２（第２のボール状部材１４２，１４４，１４６）側に、その腹部側が第１のボール状部材１４０側となるように、就寝者はこれらの間の間隙に入る。そして、身体の背中の右部をボール状部材群１３２に載せるように横になる。かくすると、就寝者Ｐの身体の肩部から大腿部までがボール状部材群１３２に支持され、ボール状部材群１３２のゴムボール１６４，１６６，１６８の支持面１８０，１８２，１８４が就寝者の肩部や臀部の形状に密着するように変形して支持し、就寝者Ｐは左側を下として傾斜した状態に支持される。このとき、就寝者Ｐの頭部には枕１８８が置かれ、その頭部が枕１８８に支持された状態で寝るようになる。この枕１８８は、市販されているもの、手作りのものなどの適宜のものでよいが、使用者が日頃愛用しているものをそのまま用いることもでき、愛用のものを用いることによって、寝付きがよく、安眠することができる。
【００９１】
この就寝状態においては、就寝者Pは身体の左側を下にして横向きに寝た状態となるが、枕１８８は傾斜していないので、就寝者Ｐの頭部の角度は減殺されてやや身体の傾斜角度よりも低い傾斜角度になる。頭部をこのような傾斜角度に保つことによって、気道の閉塞が防止され、就寝中に無呼吸状態になることが抑えられる。また、気道の閉塞が防止されるので、睡眠中のいびきの発生も抑えられ、周囲に迷惑をかけることなく安眠できる。
【００９２】
睡眠中に寝返りをうつときには、次のようになる。例えば、就寝者が身体の背中がボール状部材群１３２（ゴムボール１６４，１６６，１６８の支持面１８０，１８２，１８４）側に、その腹部側が第１のボール状部材１４０側となるように横向きに寝た状態において、上半身をくねらせて寝返りをうつと、お椀の中で回転するようにその腹部側がボール状部材群１３２側へ、その背中はボール状部材１４０側へ回転し、容易に寝返りをうつことができる。このとき、身体はボール状部材群１３２（第２のボール状部材１３４，１３６，１３８）と第１のボール状部材１４０との間の空間から飛び出しすことはなく、両者に挟まれたままでスムースに寝返りをうつことができる。
【００９３】
就寝中、傾斜状態の身体の左側部（又は右側部）が第１のボール状部材１４０の側面、ベッド１９０の表面及びボール状部材群１３２の第２のボール状部材１４２，１４４，１４６の間の空間に柔らかく挟まれ、きつくもなく緩くもなく安定して保持される。そして、寝返りをうつときは、ボール状部材群１３２及び第１のボール状部材１４０の柔らかな弾力、伸縮自在な接続ひも１５８，１６０，１６２の弾力によって一時的にこの空間が広がり、自然な状態で寝返りをうつことができる。このとき、ボール状部材群１３２は身体の前で抱き枕状態になっているので、ストッパー用の第１のボール状部材１４０は身体の後ろの腰部側にあって、腰部側から就寝者の横向きに寝た状態を支持面１８６によって支持する。第１のボール状部材１４０は常に腹部側にある必要はないが、人はエビのように前屈みで横就寝する習性があるので、入眠持は第１のボール状部材１４０を腹部側に位置するようにするのが望ましい。
【００９４】
上述した形態では、身体の左側を下にして就寝するものであるが、身体の右側を下にして就寝するときには、就寝者の身体の左側にボール状部材群１３２（第２のボール状部材１４２，１４４，１４６）が配置され、右側に第１のボール状部材１４０が配置される。このように構成した場合、就寝者Ｐの背中側がボール状部材群１３２側に、その腹部側が第１ボール状部材１４０側となるように、就寝者Ｐは右側を下にしてボール状部材群１３２とボール状部材１４０との間に横向きに寝るようになる。
【００９５】
次に、図１３を参照して、第３の実施形態の無呼吸状態防止具について説明する。図１３は、第３の実施形態の無呼吸状態防止具を示す平面図である。尚、以下の実施形態において、第２の実施形態と実質上同一の部材には同一の参照番号を付し、その説明を省略する。
【００９６】
図１３において、この第３の実施形態では、ボール状部材群１３２Ａが大きな一つの第２のネット状部材２０２に収容されている。第２のネット状部材２０２は細長いネット状袋本体２０４を備え、このネット状袋本体２０４に３個の第２のボール状部材１３４，１３６，１３８が収容されている。ネット状袋本体２０４の開口部には開閉ひも２０６が設けられ、この開閉ひも２０６が接続ひも２０８（接続部材を構成する）を介して、第１のボール状部材１４０を収容する第１のネット状部材１４８の開閉ひも１５６に接続されている。第３の実施形態のその他の構成は、上述した第２の実施形態と実質上同一である。
【００９７】
この第３の実施形態の無呼吸状態防止具においても、３個の第２のボール状部材１３４，１３６，１３８によって就寝者Ｐの身体を所望の傾斜状態に保持することができる。加えて、就寝者の寝相が悪い場合においても、第２のボール状部材１３４，１３６，１３８の移動が第２のネット状部材２０２によって拘束され、寝返りをうっている間にボール状部材１３４，１３６，１３８が散乱して身体を傾斜支持できなくなるのを防止することができる。
【００９８】
次に、図１４を参照して、第４の実施形態の無呼吸状態防止具について説明する。図１４は、第４の実施形態の無呼吸状態防止具を示す平面図である。
図１４において、この第４の実施形態では、複数の第２のボール状部材１４２〜１４６によりボール状部材群１３２Ａが構成されているように、２個の第１のボール状部材２２２，２２４によって他方のボール状部材群２２０が構成され、他方のボール状部材群２２０が一つの第１のネット状部材２１２に収容されている。第１のネット状部材２１２はネット状袋本体２１４を備え、このネット状袋本体２１４に２個の第１のボール状部材２２２，２２４が収容されている。ネット状袋本体２１４の開口部には開閉ひも２１６が設けられ、この開閉ひも２１６が接続ひも２０８を介して、第２のボール状部材１３４〜１３８を収容する第２のネット状部材２０２の開閉ひも２０６に接続されている。このように構成した場合においても、就寝者は第２のボール状部材１３４〜１３８に支持されるので、他方のボール状部材群２２０を構成する第１のボール状部材２２２，２２４の個数はボール状部材群１３２Ａを構成する第２のボール状部材１３４，１３６，１３８の個数よりも少なくするのが望ましい。第４の実施形態のその他の構成は、図１３に示す第３の実施形態と実質上同一である。
【００９９】
このように構成した場合にも、その基本的構成が第３の実施形態と実質上同一であるので、第３の実施形態と同様の効果を奏する。加えて、２個の第１のボール状部材２２２，２２４によって他方のボール状部材群２２０を構成するので、このボール状部材群２２０が就寝者Ｐの腹部側を有る程度の長さを持って保持し、これによって、就寝者Ｐの飛び出しを一層確実に防止することができる。尚、第１のボール状部材２２２，２２４は、第２の実施形態における第２のボール状部材１３４，１３６，１３８と同様に、第１のネット状部材に一つずつ収容するようにしてもよい。
【０１００】
次に、図１５及び図１６を参照して、第５の実施形態の無呼吸状態防止具について説明する。図１５は、第５の実施形態の無呼吸状態防止具を示す平面図であり、図１６は、図１５の無呼吸状態防止具を示す正面図である。
【０１０１】
図１５及び図１６において、この第５の実施形態では、複数の第２のボール状部材１４２〜１４６によりボール状部材群１３２Ｂが構成され、２個の第１のボール状部材２２２，２２４によって他方のボール状部材群２２０Ｂが構成され、ボール状部材群１３２Ｂ及びボール状部材群２２０Ｂが一つのネット状乃至布状接続部材２２６に包むように収容されて接続される。
【０１０２】
ネット状乃至布状接続部材２２６は、ネット状本体２２８を備え、このネット状本体２２８の一辺部２３０が対向辺側に折り返されてネット状本体２２８とひも状部材２３２によって接続され、第１の筒形状部２３４が形成される。この第１の筒形状部２３４の上端部２３６（図１５において上側）及び下端部２３８（図１５において下側）がそれぞれ、ひも状部材２４０，２４２によって閉じられ、第１の筒形状部２３４内の筒形空間２４４が規定される。この筒形空間２４４内に２個の第１のボール状部材２２２，２２４が収容される。第１のボール状部材２２２，２２４は図示のように筒形空間２４４の中央部分に配置されるので、上端部２３６及び下端部２３８がネット状本体２２８の裏側（図１５において裏側）へ折り返されることによって、第１のボール状部材２２２，２２４を筒形空間２４４の中央部分に固定する。更に、このネット状本体２２８の一辺部２３０の対向辺側の他辺部２４６が一辺部２３０方向に折り返されてネット状本体２２８とひも部材２４８によって接続され、第２の筒形状部２５０が形成される。この第２の筒形状部２５０の上端部２５２（図１５において上側）及び下端部２５４（図１５において下側）がそれぞれ、ひも状部材２５６，２５８によって閉じられ、第２の筒形状部２５０内の筒形空間２６０が規定される。この筒形空間２６０内に３個の第２のボール状部材１４２，１４４，１４６が収容される。第５の実施形態のボール状部材の構成は、図９に示す第２の実施形態と実質上同一である。
【０１０３】
この無呼吸状態防止具は、例えば次のような大きさに形成される。ネット状本体２２８の大きさは、縦１２０〜１７０ｃｍ程度、横１８０〜２２０ｃｍ程度で、例えば縦１５０ｃｍ×横２００ｃｍ程度のものが使用される。ボール状部材群１３２Ｂとボール状部材群２２０Ｂとの間隔Ｌは１０〜２０ｃｍ程度の幅、例えば１５ｃｍ程度に設定される。また、この間隔Ｌは、ボール状部材群１３２Ｂとボール状部材群２２０Ｂとがネット状乃至布状接続部材２２６に巻かれるときの巻き状態を変えることによって調整することができる。従って、就寝者はボール状部材群１３２Ｂ及び２２０Ｂとの間に挟まったような状態で、身体の背中の右部がボール状部材群１３２Ｂに寄りかかって傾斜状態に支持される。
【０１０４】
また、ひも状部材は、あまり伸縮しないひも材から構成されてもよいし、伸縮自在なニットゴム素材などから構成されてもよく、就寝者がボール状部材群１３２Ｂ，２２０Ｂに寄りかかったときに、第１及び第２の筒形状２３４，２５０の筒形が維持できる程度の強度を有するものであればよい。
【０１０５】
このように構成した場合にも、その基本的構成が第３の実施形態と実質上同一であるので、第３の実施形態と同様の効果を奏する。加えて、２個の第１のボール状部材２２２，２２４によってボール状部材群２２０Ｂを構成するので、このボール状部材群２２０Ｂが就寝者Ｐの腹部側を有る程度の長さを持って保持し、これによって、就寝者Ｐの飛び出しを一層確実に防止することができる。尚、ボール状部材群２２０Ｂを構成する第１のボール状部材２２２，２２４の個数はボール状部材群１３２Ｂを構成する第２のボール状部材１４２，１４４，１４６の個数よりも少なくするのが望ましい。
【０１０６】
次に、図１７を参照して、第６の実施形態の無呼吸状態防止具について説明する。図１７は、第６の実施形態の無呼吸状態防止具の使用状態を示す平面図である。なお、この第６の実施形態においては、例えば、第２の実施形態の無呼吸状態防止具に傾斜補助マットが設置されたものであるので、第２の実施形態と同一の部材には同一の参照番号を付し、その説明を省略する。
【０１０７】
図１７において、この第６の実施形態では、図示の傾斜補助マット２６２は、ボール状部材群１３２の長手方向一端側（図１７において下方向）に配置され、就寝者Ｐの大腿部から足部を傾斜支持する。傾斜補助マット２６２は、略直方体形状を有しその形状が保守できる程度の硬さを有する材質、例えばポリウレタンフォーム、発泡ポリウレタンフォーム、綿などから形成され、身体の大腿部から足部の重量によってその形状が大きく変形しないものであれば、一般的に用いられている各種材質でよい。また、傾斜補助マット２６２の大きさは、その長さが例えば８０ｃｍ程度に、幅が３０ｃｍ程度に、高さが１５ｃｍ程度にすることができ、このような大きさに形成することによって、大人の男性向けのものとして提供することができる。尚、傾斜補助マット２６２は、図示のように布団やベットなどの上にそのまま置いてもいいが、傾斜補助マット２６２の裏面及び布団などの上にに面ファスナー（図示せず）を取り付け、それらの面ファスナーを相互に係合させて傾斜補助マット２６２を布団上に固定するようにしてもよい。
【０１０８】
次に、この無呼吸状態防止具の作用について説明する。使用に際して、傾斜補助マット２６２は、その一端部２６４がボール状部材群１３２の第２のボール状部材１３８に接触又は接近するように配置される。そのように配置することによって、就寝者Ｐは、例えば身体の右側の大腿部から足部を傾斜補助マット２６２の支持面２６３上に載せることができる。ボール状部材群１３２から傾斜補助マット２６２までが連続して就寝者Ｐを傾斜支持することができる。つまり、ボール状部材群１３２によって、就寝者Ｐの身体の少なくとも肩部から腰部が傾斜支持された場合、身体の大腿部から足部までは同じように傾斜するが、身体の大腿部から足部を支持するものが無い場合は、重力によって水平方向に戻ろうとするので身体にねじれが発生してしまう。すると、そのねじれによって身体の腰部に負担がかかり、朝起きた場合に腰部に痛みを感じる場合がある。この場合に、傾斜補助マット２６２を用いると支持面２６３によって身体の大腿部から足部を支持することができるので、ボール状部材群１３２及び傾斜補助マット２６２の支持面２６３とによって身体の肩部から足部までが傾斜支持されるので、就寝者Ｐは、身体に負担をかけることなく、安眠することができる。
【０１０９】
次に、図１８及び図１９を参照して、無呼吸状態防止寝具の最良の実施形態について説明する。図１８は、本発明に従う無呼吸状態防止寝具を分解して示す全体斜視図であり、図１９は、図１８の無呼吸状態防止寝具の移動抑制部材としてのボール状部材を示す拡大平面図である。
【０１１０】
図１８及び図１９において、この無呼吸状態防止寝具は、掛布団２６６と、移動抑制部材３として、例えばボール状部材２６８と、曲面支持マット２７０と、枕２８０と、傾斜補助部材２８１と、敷布団２８２とから構成されている。
【０１１１】
掛布団２６６は、一般家庭で使用される綿布団や羽毛布団をカバー部材２８４に収容したものであり、右端側（図１８において上側）の、例えば２個所に接続ひも２８６が設けられている。
【０１１２】
曲面支持マット２７０は、木綿布などを裁断して袋状に形成されるカバー部材２８８を有し、このカバー部材２８８の内部に詰め材としてのマット部材２９０が収容される。マット部材２９０は、その形状が保守できる程度の硬さを有する材質、例えばポリウレタンフォーム、発泡ポリウレタンフォーム、綿などから形成され、身体の重量によってマット部材２９０が大きく変形しないものであれば、一般的に用いられている各種材質でよい。この曲面支持マット２７０は、断面形状が略半円乃至略楕円形状であり、その緩やかな曲面が曲面支持面２９２として作用する。曲面支持マット２７０の底面２９４には、例えばその上端部及び下端部（図８において右側及び左側）に、それぞれ長方形状の面ファスナー２９６（例えば、凸状又は凹状のファスナー）が設けられており、敷布団２８２上に脱着可能に取り付けられるようになっている。また、曲面支持面２９２の中央部よりやや上端部側には、ボール状部材２６８を脱着可能に取り付けることができる面ファスナー２９８が設けられている。この実施形態では、曲面支持マット２７０は、敷布団２８２の右端側（図１８において上側）に配置され、曲面支持マット２７０の右側中央部及び右側下端部の２個所に接続ひも３００が設けられている。この接続ひも３００と接続ひも２８６とを結ぶことによって掛布団２６６と曲面支持マット２７０とが接続される。
【０１１３】
敷布団２８２は、一般家庭で使用される綿部材などをカバー部材３０２に収容したものであり、カバー部材３０２上の右端側（図１８において上側）の中央部及び下部（図１８において左側）にそれぞれ面ファスナー３０４が設けられている。これらの面ファスナー３０４と曲面支持マット２７０の底面２９４の面ファスナー２９６を相互に係合することによって、曲面支持マット２７０が敷布団２８２に脱着可能に取り付けられる。また、ボール状部材２６８は、この敷布団２８２上の面ファスナー３０４にも脱着可能に取り付けることができる。
【０１１４】
枕２８０は、市販されているもの、手作りのものなどの適宜のものでよいが、使用者が日頃愛用しているものをそのまま用いることもでき、愛用のものを用いることによって、寝付きがよく、安眠することができる。この枕２８０は、その底部２８３の曲面支持マット２７０側（図１８において上側）に傾斜補助部材２８１が脱着可能に取り付けられることによって傾斜支持される。この傾斜補助部材２８１は、断面形状が緩やかな略二等辺三角形状であり、その形状が保守できる程度の硬さを有する材質、例えばポリウレタンフォーム、発砲ポリウレタンフォーム、綿などから形成され、身体の頭部を枕２８０にのせたときに傾斜補助部材２８１の形状が大きく変形しないものであれば、一般的に用いられている各種材質でよい。枕２８０の底部２８３には面ファスナー２８５が、傾斜補助部材２８３上には面ファスナー２８７が取り付けられ、これら面ファスナー２８５，２８７を相互に係合することによって、枕２８０の底部２８３に傾斜補助部材２８３が脱着可能に取り付けられる。これによって、枕２８０が傾斜支持され、頭部が横向いた状態に保たれる。
【０１１５】
ボール状部材２６８はネット状乃至布状袋部材３１０に収容され、この実施形態では、例えばネット状乃至布状袋部材３１０は、布状袋部３１１と布状接続部３１３とから構成される。ボール状部材２６８は、この布状袋部３１１に収容され、布状接続部３１３には、面ファスナー３１２が設けられる。この面ファスナー３１２と面ファスナー２９８とを相互に係合することによって、ボール状部材２６８を曲面支持面２９２上に脱着可能に取り付けることができ、また、面ファスナー３１２と面ファスナー３０４とを相互に係合することによって、ボール状部材２６８を敷布団２８２上に脱着可能に取り付けることができる。
【０１１６】
図示の無呼吸状態防止寝具は、身体の左側を下にして就寝するときに用いる形態のものであり、曲面支持マット２７０の曲面支持面２９２は、その底部（曲面支持面２９２に上向きに寝た状態において、左腕が位置する側の側部）から頂部（曲面支持面２９２に上向きに寝た状態において、右腕が位置する側の側部）に向けて曲線状に延びている。曲面支持面２９２には面ファスナー２９８が設けられ、ボール状部材２６８を収容したネット状乃至布状袋部材３１０の面ファスナー３１２が面ファスナー２９８に取り付けられる。従って、ネット状乃至布状袋部材３１０に収容されたボール状部材２６８は、曲面支持マット２７０に上向きに寝た状態において左側に位置し、就寝者の背中側が曲面支持マット２７０側に、その腹部側がボール状部材２６８側となるように、就寝者は左側を下にして曲面支持マット２７０とボール状部材２６８との間に横向きに寝るようになる。尚、曲面支持マット２７０とボール状部材２６８との間隔は、横向き就寝状態において身体が、きつくもなく、緩くもない程度の最適の間隔となるように面ファスナー２９８，３１２の取付位置を変更して調整される。
【０１１７】
図１９において、ボール状部材２６８は、例えばゴムボール３１４から構成される。ゴムボール３１４は、図示の形態のように空気の充填可能なものでもよく、空気の充填ができないものでもよい。図示のものでは、ゴムボール３１４内は中空であり、使用するときに、空気注入口３１６から空気が注入されて膨らまされる。このようなゴムボール３１４は、その外径が約２０〜３０ｃｍ程度の大きさ、例えば２５ｃｍでよく、スポーツ用、実験用のボール状部材などが好都合に用いられ、表面が柔らかくてある程度弾性を有するものが望ましく、このようなゴムボール３１４では、寝返りなどをしたときに身体に大きな力が作用することがなく、体にやさしいものとして提供することができる。
【０１１８】
ネット状乃至布状袋部材３１０は、例えば木綿布などを裁断して袋状にした布状袋部３１１と布状接続部３１３とから構成される。このような構成にすることによって、布状袋部３１１内にゴムボール３１４が保持され、布状接続部３１３上の面ファスナー３１２によって曲面支持面２９２上に取り付けられるので、就寝者が寝返りをうったときでもゴムボール３１４が曲面支持マット２７０との間隔を一定に保つことができ、身体の背中側を傾斜支持することができる。
【０１１９】
この無呼吸状態防止寝具は、例えば、次のような大きさに形成される。掛布団２６６の大きさは例えば、横１５０×縦２１０ｃｍ程度に、敷布団２８２の大きさは例えば横１００×縦２１０ｃｍ程度に、枕２８０の大きさは例えば横６０×縦４０ｃｍ程度に、曲面支持マット２７０の大きさは例えば横３０×縦１５０×高さ２０ｃｍ程度に、布状袋部３１１の大きさは例えば底辺３０×高さ３０ｃｍ程度の略二等辺三角形状に、布状接続部３１３は、長さ４０ｃｍ程度にすることができ、またゴムボール３１４の直径は例えば２３ｃｍ程度に形成することによって、大人の男性向けのものとして提供することができる。
【０１２０】
次に、上述した無呼吸状態防止寝具の作用について説明する。使用に際して、敷布団２８２（綿部材をカバー部材３０２内に収容する）及び曲面支持マット２７０（マット部材２９０をカバー部材２８８内に収容する）を面ファスナー３０４，２９６を相互に係合させて所定の位置関係にするとともに、曲面支持マット２７０の接続ひも３００に掛布団２６６（綿布団をカバー部材２８４内に収容する）の接続ひも２８６を接続して所定の位置関係にする。次に、布状接続部３１３を曲面支持マット２７０の曲面支持面２９２上に面ファスナー２９８，３１２を相互に係合させて取り付け、更に、枕２８０の底部２８３に傾斜補助部材２８１を取り付ける。このようにして曲面支持マット２７０と、ボール状部材２６８と、枕２８０とを就寝時に使用する状態に配置する。
【０１２１】
就寝のときには、身体の左側が下となるように、換言すると、身体の背中側が曲面支持マット２７０側に、その腹部側がボール状部材２６８側となるようにこれらの間の間隙に入り、身体の肩部から足部までが曲面支持マット２７０の曲面支持面２９２に支持され、身体の頭部が枕２８０に支持されるように寝る。この就寝状態においては、就寝者は身体の左側を下にして横向きに寝た状態となり、その頭部も横に向いた状態に保たれ、これによって気道の閉塞が防止され、就寝中に無呼吸状態になることが抑えられる。また、気道の閉塞が防止されるので、睡眠中のいびきの発生も抑えられ、周囲に迷惑をかけることなく安眠できる。
【０１２２】
睡眠中に寝返りをうつ場合には、次のようになる。例えば、就寝者が身体の背中が曲面支持マット２７０の曲面支持面２９２側に、その腹部がボール状部材２６８側となるように横向きに寝た状態において、上半身をくねらせて寝返りをうつと、お椀の中で回転するようにその腹部は曲面支持マット２７０側へ、その背中はボール状部材２６８側へ回転し、容易に寝返りをうつことができる。このとき、身体は曲面支持マット２７０とボール状部材２６８との間の空間から飛び出すことはなく、両者に鋏まれたままでスムースに寝返りをうつことができる。また、掛布団２６６の接続ひも２８６と曲面支持マット２７０の接続ひも３００とが接続されているので、寝返りをうったときに、掛布団２６６が曲面支持マット２７０上からずれ落ちてくるのを防止することができる。
【０１２３】
就寝中、傾斜した身体の左側部（又は右側部）がボール状部材２６８の側面、敷布団２８２の表面及び曲面支持マット２７０の曲面支持面２９２の間の空間に柔らかく鋏まれ、きつくもなく緩くもなく安定して保持される。そして、寝返りをうつ時は、ボール状部材２６８の柔らかな弾力によって、自然な状態で寝返りをうつことができる。このとき、曲面支持マット２７０は身体の前で抱き枕状態になっているので、ストッパー用のボール状部材２６８は身体の後ろの腰部側にあって、腰部側から就寝者の横向きに寝た状態を支持する。ボール状部材２６８は常に腹部側にある必要はないが、人はエビのように前屈みで横就寝する習性があるので、入眠時はボール状部材２６８を腹部側に位置するようにするのが望ましい。
【０１２４】
次に、図２０〜図２２を参照して、曲面支持マットの変形形態について説明する。図２０は、曲面支持マットの第１の変形形態を示す斜視図であり、図２１は曲面支持マットの第２の変形形態を示す斜視図であり、図２２は曲面支持マットの第３の変形形態を示す平面図である。
【０１２５】
図２０において、曲面支持マット２７０の第１の変形形態である曲面支持マット２７０Ａは、その下端部（図２０において左側）の曲面支持面２９２Ａが、敷布団２８２の内側方向へ曲がって窄みながら突出した足部支持部３２２を有する構成からなる。足部支持部３２２は、曲面支持マット２７０Ａに就寝者が横たわった場合に、身体の膝部に相当する位置から下端部（図２０において左側）までが手前側に窄みながら突出してきている。このような形態にすると、就寝者が就寝中に前屈みの体勢をとったときに、膝部から足部がこの足部支持部３２２に支持されるので、就寝中の大腿部から足部が不安定になるのを回避することができ、身体の不要なねじれによる腰の痛みなどを防ぐことができる。
【０１２６】
図２１において、曲面支持マット２７０の第２の変形形態である曲面支持マット２７０Ｂは、その下端部（図２１において左側）の曲面支持面２９２Ｂが、敷布団２８２の内側方向へ曲がって窄みながら突出した足部支持部３２２Ｂを有する構成からなる。このような構成をとることによっても、就寝者が曲面支持マット２７０Ｂ上に横たわったときに、就寝中に前屈みの体勢をとっても足部支持部３２２Ｂによって身体の足部は支持されるので、就寝中の大腿部から足部が不安定になるのを回避することができ、身体の不要なねじれによる腰の痛みなどを防ぐことができる。
【０１２７】
図２２において、曲面支持マット２７０の第３の変形形態である曲面支持マット２７０Ｃは、マット部材の代わりにボール状部材郡３２０が収容されている。この形態では、ボール状部材郡３２０は、５個のボール状部材３２２を備えており、これらのボール状部材３２２は、上述した第２の実施形態の無呼吸状態防止具の第２のボール状部材１３４〜１３８と同様の構成を有する。この曲面支持マット２７０Ｃの裏面にも面ファスナー２９６が取り付けられているので、面ファスナー２９６と面ファスナー３０４とを相互に係合させることによって、ボール状部材郡３２０が敷布団２８２上に直線形状を保持し、就寝者の身体の傾斜状態を維持することができる。この曲面支持マット２７０Ｃの面ファスナー２９６と敷布団２８２上の面ファスナー３０４との間に、ボール状部材２６８の面ファスナー３１２を係合させるようにして、ボール状部材２６８が敷布団２８２上に取り付けられる。尚、曲面支持マット２７０Ａ，２７０Ｂ，２７０Ｃのその他の構成については、曲面支持マット２７０と同様なので説明を省略する。
【０１２８】
次に、図２３を参照して、ネット状乃至布状袋部材の変形形態について説明する。図２３は、ネット状乃至布状袋部材の変形形態を示す拡大平面図である。
図２３において、ネット状乃至布状袋部材３１０の変形形態であるネット状乃至布状袋部材３１０Ａは、布状袋部３１１Ａと布状接続部３１３とから構成されている。布状袋部３１１Ａの底部３２８は、開閉可能となっており、この底部３２８に面ファスナー３２４，３２６が設けられている。面ファスナー３２４は、布状袋部３１１Ａの底部側３２８の一面裏側３３０に設けられ、面ファスナー３２６が、布状袋部３１１Ａの底部側３２８の他面表側３３２に設けられている。この面ファスナー３２４，３２６の係合位置を図示の矢印の上下方向に変えることによって、ボール状部材２６８の収容位置を変えることができる。例えば、図示の矢印の上方向に係合位置をずらすと、ボール状部材２６８の収容位置が上側にずれるため、接続部３１３とボール状部材２６８との間隔が実質的に小さくなる。図示の矢印の下方向に係合位置をずらすと、ボール状部材２６８の収容位置が下側にずれ、接続部３１３とボール状部材２６８との間隔が実質的に大きくなる。このようにボール状部材２６８の収容位置を変えることができるので、このネット状乃至布状袋部材３１０Ａを曲面支持マット２７０に取り付けたときに、就寝者の好みに応じて曲面支持マット２７０とボール状部材２６８との間隔を調整することができる。更に、布状接続部３１３に設けた面ファスナー３１２と曲面支持面２９２上の面ファスナー２９８との係合位置を変えることによっても、曲面支持マット２７０とボール状部材２６８との間隔を調整することができるので、ボール状部材２６８が邪魔にならない配置関係を得ることができ、就寝者はより安眠することができる。接続部３１３を敷布団２８２上の面ファスナー３０４に取り付けたときも、同様にして曲面支持マット２７０とボール状部材２６８との間隔を調整することができる。なお、ネット状乃至布状袋部材３１０Ａのその他の構成については、ネット状乃至布状袋部材３１０と同様なので説明は省略する。
【０１２９】
以上、本発明に従う無呼吸状態防止具及び無呼吸状態防止寝具の実施形態について説明したが、本発明はかかる実施形態に限定されるものではなく、本発明の範囲を逸脱することなく種々の変形乃至修正が可能である。
【０１３０】
例えば、上述した実施形態では、移動抑制部材３としてボール状部材４，２６８が用いられているが、このようなボール状部材に限定されず、枕状部材を用いるようにしてもよく、その場合でも、枕状部材が身体にやさしく作用するとともに、身体の移動を抑えることができ、ボール状部材と同様の効果が得られる。
【０１３１】
また、例えば、上述した実施形態では、マット本体６及び補助マット８の断面形状が緩やかな略二等辺三角形状であるが、このような形状に限定されず、細長い卵形形状に形成するようにしてもよく、このように形成した場合、その緩やかな傾斜曲面が傾斜支持面として作用する。
【０１３２】
また、例えば、上述した実施形態では、ボール状部材群１３２（１３２Ａ）を３個の第２のボール状部材１３４，１３６，１３８から構成しているが、これに限定されず、２個又は４個以上の第２のボール状部材から構成するようにしてもよい。
【０１３３】
また、例えば、上述した実施形態では、第１のボール状部材１４０（２２２，２２４）及び第２のボール状部材１３４，１３６，１３８に気体（例えば空気）を充填しているが、気体に代えて液体（例えば水）を充填するようにしてもよい。
【０１３４】
また、例えば、上述した実施形態では特に設けていないが、第１のネット状袋部材１４８（２１２）、第２のネット状袋部材１４２，１４４，１４６（２０２）及び／又はネット状乃至布状接続部材２２６を、脱臭効果（及び／又は脱水効果）を有するカバー部材、肌触りのよいカバー部材などで覆うようにしてもよく、このようにすることによって、一層快適な就寝環境を保って安眠を促進することができる。
【０１３５】
また、例えば、上述した実施形態では、ネット状乃至布状袋部材３１０は、木綿布などから構成されるが、これに限定されず、ネット状の袋部材から構成されてもよい。
【産業上の利用可能性】
【０１３６】
就寝時に、就寝者の腹部側に移動抑制部材を、その背中側に傾斜マット又は複数の第２のボール状部材から構成されるボール状部材群を配置し、これらの部材によって就寝者の身体を傾斜支持することによって、就寝時の無呼吸状態を防止することができる。また、移動抑制部材と傾斜マットと、又は第１のボール状部材と第２のボール状部材とが接続ひもで接続されているので、移動抑制部材又は第１のボール状部材が自由に動き廻ることがなく、就寝者を安定して傾斜支持することができ、無呼吸症候群の患者に有効な無呼吸状態防止具を提供することができる。また、就寝者の身体を傾斜支持できる曲面支持マットと、腹部側に配置された移動抑制部材によって、就寝者を更に安定して傾斜支持することができ、無呼吸症候群の患者に有効な無呼吸状態防止寝具を提供することができる。
【図面の簡単な説明】
【０１３７】
【図１】本発明に従う無呼吸状態防止具の第１の実施形態の使用状態を示す平面図である。
【図２】図１の無呼吸状態防止具の使用状態を示す断面図である。
【図３】図１の無呼吸状態防止具を分解して示す平面図である。
【図４】無呼吸状態防止具の他の使用形態を示す、図２に対応する図である。
【図５】傾斜マットの第１の変形形態を示す断面図である。
【図６】傾斜マットの第２の変形形態を示す断面図である。
【図７】傾斜マットのマット本体とこれを収容する第１カバー部材とを示す斜視図である。
【図８】傾斜マットの補助マットとこれを収容する第２カバー部材とを示す斜視図である。
【図９】本発明に従う無呼吸状態防止具の第２の実施形態を示す平面図である。
【図１０】図９の無呼吸状態防止具を示す正面図である。
【図１１】図９の無呼吸状態防止具の使用状態を示す平面図である。
【図１２】図１１の無呼吸状態防止具の使用状態を示す断面図である。
【図１３】本発明に従う無呼吸状態防止具の第３の実施形態を示す平面図である。
【図１４】本発明に従う無呼吸状態防止具の第４の実施形態を示す平面図である。
【図１５】本発明に従う無呼吸状態防止具の第５の実施形態を示す平面図である。
【図１６】図１５の無呼吸状態防止具を示す正面図である。
【図１７】本発明に従う無呼吸状態防止具の第６の実施形態を示す平面図である。
【図１８】本発明に従う無呼吸状態防止寝具を分解して示す全体斜視図である。
【図１９】図１８の無呼吸状態防止寝具の移動抑制部材としてのボール状部材を示す拡大平面図である。
【図２０】曲面支持マットの第１の変形形態を示す斜視図である。
【図２１】曲面支持マットの第２の変形形態を示す斜視図である。
【図２２】曲面支持マットの第３の変形形態を示す平面図である。
【図２３】ネット状乃至布状袋部材の変形形態を示す拡大平面図である。
【符号の説明】
【０１３８】
２，２Ａ，２Ｂ，２Ｃ  傾斜マット
３  移動抑制部材
４，２６８  ボール状部材
６，６Ｂ，６Ｃ  マット本体
８，８Ｂ，８Ｃ  補助マット
１０，１２  傾斜支持面
２６  ネット
２０，２２，２９６，２９８，３０４，３１２，３２４，３２６  面ファスナー
５２，５４，６２，６４，７２，７４，８２，８４  仕切壁
９０，１００  連通孔
１０２  第１カバー部材
１０４  第２カバー部材
１３２，１３２Ａ，１３２Ｂ，２２０，２２０Ｂ  ボール状部材群
１３４，１３６，１３８  第２のボール状部材
１４０，２２２，２２４  第１のボール状部材
１４２，１４４，１４６，２０２  第２のネット状袋部材
１４８，２１２  第１のネット状袋部材
１５８，１６０，１６２，２０８，２８６，３００  接続ひも
１６４，１６６，１６８，１７０，２２２，２２４，３１４  ゴムボール
２２６  ネット状乃至布状接続部材
２２８  ネット状本体
２３２，２４０，２４２，２４８，２５６，２５８  ひも部材
２３４  第１の筒形状部
２５０  第２の筒形状部
２６２  傾斜補助マット
２７０，２７０Ａ，２７０Ｂ，２７０Ｃ  曲面支持マット
２８４，２８８，３０２  カバー部材
２９２  曲面支持面
３１０，３１０Ａ  ネット状乃至布状袋部材
３１１，３１１Ａ  布状袋部
３２４，３２６  面ファスナー
Ｐ  就寝者
【図１】
2005118528.tif 000003
【図２】
2005118528.tif 000004
【図３】
2005118528.tif 000005
【図４】
2005118528.tif 000006
【図５】
2005118528.tif 000007
【図６】
2005118528.tif 000008
【図７】
2005118528.tif 000009
【図８】
2005118528.tif 000010
【図９】
2005118528.tif 000011
【図１０】
2005118528.tif 000012
【図１１】
2005118528.tif 000013
【図１２】
2005118528.tif 000014
【図１３】
2005118528.tif 000015
【図１４】
2005118528.tif 000016
【図１５】
2005118528.tif 000017
【図１６】
2005118528.tif 000018
【図１７】
2005118528.tif 000019
【図１８】
2005118528.tif 000020
【図１９】
2005118528.tif 000021
【図２０】
2005118528.tif 000022
【図２１】
2005118528.tif 000023
【図２２】
2005118528.tif 000024
【図２３】
2005118528.tif 000025